(57)【要約】    【課題】  作業者の負担が少なく、而も簡便にシャッタカーテンの開放が可能なシャッタ装置を提供する。    【解決手段】  シャッタカーテン３の巻取シャフト４に連結された駆動軸６に軸箱１１，１２，１４が連結され、該軸箱はトルク伝達経路の方向変換部に設けられ、前記軸箱は入力軸、出力軸を具備し、前記入力軸、前記出力軸に連結されるトルク伝達経路の少なくとも一部にフレキシブルロッド２７，２８，２９が設けられ、終端の軸箱１４は高所を避けて位置され、前記終端の軸箱の入力軸は携帯用ドリルが連結可能な入力端軸を具備する。    【選択図】          図１
2007217881.tif 000002
【特許請求の範囲】
【請求項１】
シャッタカーテンの巻取シャフトに連結された駆動軸に軸箱が連結され、該軸箱はトルク伝達経路の方向変換部に設けられ、前記軸箱は入力軸、出力軸を具備し、前記入力軸、前記出力軸に連結されるトルク伝達経路の少なくとも一部にフレキシブルロッドが設けられ、終端の軸箱は高所を避けて位置され、前記終端の軸箱の入力軸は携帯用ドリルが連結可能な入力端軸を具備することを特徴とするシャッタ装置。
【請求項２】
前記入力端軸には、手回しハンドルを嵌合可能とした請求項１のシャッタ装置。
【請求項３】
前記携帯用ドリルは、外部電源で駆動され、前記終端の軸箱の内部、又は前記終端の軸箱の近傍に前記外部電源供給用のコンセントが配置された請求項１のシャッタ装置。
【請求項４】
前記携帯用ドリルは可充電池を内蔵し、前記終端の軸箱の内部に前記可充電池を充電する充電器が設けられた請求項１のシャッタ装置。
【請求項５】
前記終端の軸箱は前記携帯用ドリルを収納可能である請求項３又は請求項４のシャッタ装置。
【発明の詳細な説明】
【技術分野】
【０００１】
本発明は、デパート、大型スーパストア、駅等の公共施設等の出入口、或は防火区画として開口部を閉鎖する為に設けられる大型のシャッタ装置に関するものである。
【背景技術】
【０００２】
大型のシャッタ装置では、電動モータを具備する開閉機が設けられ、開閉機による開閉が行われている。
【０００３】
シャッタ装置は、出入口、開口部の上部にシャッタケースが設けられ、該シャッタケース内にシャッタカーテンが巻取られ収納され、又シャッタカーテンは巻取シャフトが開閉機によって回転されることで巻取られる様になっている。
【０００４】
斯かるシャッタ装置に於いて、停電等の非常時、或はメンテナンス作業時、或は電気系統の不具合により、前記開閉機が作動しない状態で前記シャッタカーテンの開閉、特に開動作を行う場合、従来では前記開閉機に付属のハンドルで直接前記開閉機の駆動軸を回転するか、或は駆動軸に連結されたチェーンを回転させて前記開閉機の駆動軸を回転させることで、前記巻取シャフトを回転させてシャッタカーテンを巻取っていた。
【０００５】
大型のシャッタ装置では、シャッタケースは高所に設けられており、ハンドル、チェーンを回転するには、梯子、脚立等の足場が必要であり、作業性が悪いと共に危険を伴う作業となっており、容易な作業ではなかった。
【０００６】
又、大型のシャッタ装置では、開口間口が広いと共に開口高さも高くシャッタカーテンが大重量のものが多く、その上、建築物の大型化に伴い設置数は非常に多くなっている。又、減速機を介して巻取シャフトを回転させる様になっている為、シャッタカーテンの巻上げには大変な労力と多くの時間を要していた。
【０００７】
尚、特許文献１には、巻上げ装置を具備しないシャッタで、シャッタカーテンを開放する為のシャッタの巻上げ装置が示されているが、開放の為、別途シャッタの巻上げ装置を用意しなければならず、緊急な対応が難しい。又、停電等で巻上げ装置への電力の供給が得られない場合は、使用が困難であった。
【０００８】
【特許文献１】実開平６−１０５９６号公報
【発明の開示】
【発明が解決しようとする課題】
【０００９】
本発明は斯かる実情に鑑み、作業者の負担が少なく、而も簡便にシャッタカーテンの開放が可能なシャッタ装置を提供するものである。
【課題を解決するための手段】
【００１０】
本発明は、シャッタカーテンの巻取シャフトに連結された駆動軸に軸箱が連結され、該軸箱はトルク伝達経路の方向変換部に設けられ、前記軸箱は入力軸、出力軸を具備し、前記入力軸、前記出力軸に連結されるトルク伝達経路の少なくとも一部にフレキシブルロッドが設けられ、終端の軸箱は高所を避けて位置され、前記終端の軸箱の入力軸は携帯用ドリルが連結可能な入力端軸を具備するシャッタ装置に係り、又前記入力端軸には、手回しハンドルを嵌合可能としたシャッタ装置に係り、又前記携帯用ドリルは、外部電源で駆動され、前記終端の軸箱の内部、又は前記終端の軸箱の近傍に前記外部電源供給用のコンセントが配置されたシャッタ装置に係り、又前記携帯用ドリルは可充電池を内蔵し、前記終端の軸箱の内部に前記可充電池を充電する充電器が設けられたシャッタ装置に係り、更に又前記終端の軸箱は前記携帯用ドリルを収納可能であるシャッタ装置に係るものである。
【発明の効果】
【００１１】
本発明によれば、シャッタカーテンの巻取シャフトに連結された駆動軸に軸箱が連結され、該軸箱はトルク伝達経路の方向変換部に設けられ、前記軸箱は入力軸、出力軸を具備し、前記入力軸、前記出力軸に連結されるトルク伝達経路の少なくとも一部にフレキシブルロッドが設けられ、終端の軸箱は高所を避けて位置され、前記終端の軸箱の入力軸は携帯用ドリルが連結可能な入力端軸を具備するので、携帯用ドリルによる開放が可能となり、梯子、脚立等の足場がいらないので作業性がよい。又本発明を設置する場合、シャッタ装置と躯体との取合い、軸箱とシャッタ装置との取合い、軸箱間の取合い等、正確な芯合せが困難であるが、前記フレキシブルロッドにより芯ずれが吸収され、芯合せ等作業上の負担が軽減され、円滑な作動が可能となる。
【００１２】
又本発明によれば、前記入力端軸には、手回しハンドルを嵌合可能としたので、種々の作業状態にも対応可能となる。
【００１３】
又本発明によれば、前記携帯用ドリルは、外部電源で駆動され、前記終端の軸箱の内部、又は前記終端の軸箱の近傍に前記外部電源供給用のコンセントが配置されたので、外部電源が使用可能な環境で、簡便なシャッタカーテン開放作業が可能となる。
【００１４】
又本発明によれば、前記携帯用ドリルは可充電池を内蔵し、前記終端の軸箱の内部に前記可充電池を充電する充電器が設けられたので、停電等電源の利用ができない場合でも、簡便なシャッタカーテン開放作業が可能となる。
【００１５】
更に又本発明によれば、前記終端の軸箱は前記携帯用ドリルを収納可能であるので、非常時でも携帯用ドリルを調達する必要がなく、簡便なシャッタカーテン開放作業が可能となる等の優れた効果を発揮する。
【発明を実施するための最良の形態】
【００１６】
以下、図面を参照しつつ本発明を実施する為の最良の形態を説明する。
【００１７】
図１に於いて、１はシャッタケース、２はガイドレール、３はシャッタカーテンを示し、前記シャッタケース１には巻取シャフト４が回転自在に設けられると共に開閉機５が設けられ、該開閉機５の一端より突出する駆動軸（図示せず）と前記巻取シャフト４とはチェーン（図示せず）等により連結され、前記開閉機５の駆動により前記巻取シャフト４が回転され、前記シャッタカーテン３が前記巻取シャフト４に巻取られ、又は繰出され、前記ガイドレール２に沿って昇降（開閉）する様になっている。
【００１８】
前記開閉機５の他端には補助駆動軸６が突設されており、該補助駆動軸６と前記駆動軸（図示せず）とは一方向クラッチ７によって連結され、該一方向クラッチ７は前記開閉機５の非通電状態で前記補助駆動軸６と前記駆動軸とを連結し、且つ前記補助駆動軸６からの回転力は前記駆動軸の開方向（シャッタカーテン３を開動作させる回転方向）にのみ伝達する様になっている。尚、前記開閉機５には減速機（図示せず）が備えられており、前記補助駆動軸６の回転は前記開閉機５の減速機（図示せず）を介して減速されて前記巻取シャフト４に伝達される様になっており、比較的小さな力で前記補助駆動軸６を回転させても前記シャッタカーテン３を開放できるので、後述する様に一般的な携帯用電動ドリル３９の駆動力で前記シャッタカーテン３を開放することができる。
【００１９】
前記補助駆動軸６には補助開閉装置８が設けられる。以下、該補助開閉装置８について、図２〜図４を参照して説明する。
【００２０】
前記シャッタケース１のブラケット９に前記開閉機５が設けられている。前記シャッタケース１には第１軸箱１１が設けられ、建屋１０の前記ブラケット９の近傍には第２軸箱１２が設けられ、前記建屋１０の開口部１３（図１参照）の躯体の高所を避けた位置に、前記補助開閉装置８の終端の軸箱として第３軸箱１４が設けられている。ここで、高所を避けた位置とは、床面又は地面から梯子や脚立等を使わずに直接手の届く、前記開口部１３に於いて下方側又は中程となる高さの位置であり、好ましい例としては、作業者の立ち姿勢での手元作業に好適な、床面又は地面から１ｍ〜１．５ｍ程度の高さの位置とされる。前記第１軸箱１１、前記第２軸箱１２、前記第３軸箱１４等の軸箱は、トルク伝達経路中の方向変換部分に設けられ、後述する様に軸箱の連結には、全部又は一部にフレキシブルロッドが用いられる。
【００２１】
前記第１軸箱１１には、前記開閉機５の軸心と平行な、第１出力軸１５と第１入力軸１６が回転自在に設けられ、前記第１出力軸１５には被動スプロケット１７、前記第１入力軸１６には駆動スプロケット１８がそれぞれ嵌着されており、該駆動スプロケット１８と前記被動スプロケット１７とはチェーン１９によって連結されている。尚、前記被動スプロケット１７、駆動スプロケット１８はそれぞれギアとして直接噛合させてもよい。
【００２２】
前記第２軸箱１２は直交する第２出力軸２１と第２入力軸２２、前記第２出力軸２１と前記第２入力軸２２とを連結する傘歯車ユニット２３とを具備し、前記第３軸箱１４は直交する第３出力軸２４と第３入力軸２５、前記第３出力軸２４と前記第３入力軸２５とを連結する傘歯車ユニット２６とを具備している。
【００２３】
前記補助駆動軸６と前記第１出力軸１５とは同一軸心上に配置され、第１フレキシブルロッド２７によって連結されている。又、前記第１入力軸１６と前記第２出力軸２１とは同一軸心上に配置され、第２フレキシブルロッド２８によって連結されている。又、前記第２入力軸２２と前記第３出力軸２４とは第３フレキシブルロッド２９、リジッドな連結ロッド３１を介して連結されている。
【００２４】
前記第１フレキシブルロッド２７、前記第２フレキシブルロッド２８、前記第３フレキシブルロッド２９は、それぞれ可撓性を有し、トルクの伝達が可能な構造、例えば金属素線のコイルを同心多重に組合わせてロッド状とした構造等である。尚、前記第３フレキシブルロッド２９と前記連結ロッド３１とは１本の第３フレキシブルロッド２９としてもよい。又、前記連結ロッド３１を用いることで、前記第３フレキシブルロッド２９が長くなった場合の回転時の振れが減少できる。
【００２５】
前記第３軸箱１４は仕切板３２によって、傘歯車ユニット収納室３３と操作室３４に仕切られ、該操作室３４は蓋３５によって開閉可能であり、又前記蓋３５は鍵３６によって施錠可能となっている。前記第３入力軸２５には入力端軸３７が連結されており、該入力端軸３７の断面形状は４角、或は６角となっており、携帯用ドリルでチャック可能となっている。又、前記入力端軸３７の形状は、六角ボルトの頭の規格に合致していることが好ましく、六角ボルトの頭の規格に合致させることで、市販の工具、例えばレンチソケットを前記携帯用ドリルに把持させ、前記第３入力軸２５を簡便に回転させることができる。
【００２６】
停電、シャッタ装置の電気系統の不具合、メンテナンス時等により、前記開閉機５を駆動できない場合に、前記シャッタカーテン３を開放する場合は、携帯用ドリル、好ましくは充電式電池を電源とする携帯用ドリルを用いて、前記シャッタカーテン３の開放を行う。尚、充電式電池はニッケル水素電池、リチウムイオン電池等が好ましく、或は乾電池或は燃料電池等であってもよい。又、携帯用ドリルは手動回転式のものを用いてもよい。
【００２７】
前記第３軸箱１４の前記蓋３５を開け、前記入力端軸３７に前記携帯用ドリルの先端を差込み、該携帯用ドリルにより前記入力端軸３７を回転させる。
【００２８】
前記入力端軸３７の回転は、前記連結ロッド３１、前記第３フレキシブルロッド２９、前記傘歯車ユニット２３、前記第２フレキシブルロッド２８、前記駆動スプロケット１８、前記チェーン１９、前記被動スプロケット１７を介して前記第１フレキシブルロッド２７に伝達され、前記補助駆動軸６が回転される。該補助駆動軸６は、前記開閉機５の非通電時には前記駆動軸（図示せず）に連結されているので、該駆動軸が回転されて、前記シャッタカーテン３が上昇される。
【００２９】
前記第１フレキシブルロッド２７、前記第２フレキシブルロッド２８、前記第３フレキシブルロッド２９は、前記補助駆動軸６と前記第１出力軸１５間の芯ずれ、前記第１入力軸１６と前記第２出力軸２１との芯ずれ、前記第２入力軸２２と前記第３出力軸２４との芯ずれを吸収して回転を円滑に伝達する。
【００３０】
尚、大型のシャッタ装置では、前記開閉機５はＡＣ２００Ｖの電圧で駆動されている。一般にＡＣ２００Ｖの電源の供給系と、ＡＣ１００Ｖの電源の供給系とは異なっているので、１度に両電源が停電となることは珍しく、従って、ＡＣ２００Ｖの電源が停電となり、前記開閉機５が駆動されない場合でも、ＡＣ１００Ｖの外部電源で携帯用の電動ドリルを駆動して、前記シャッタカーテン３を開放することができる。この場合、携帯用ドリルは充電式のものでなくてもよい。又、工場、大型の店舗、建造物では、非常用電源が備えられている場合があり、この場合も、非常用電源で前記携帯用ドリルを使用することができる。尚、電源の供給系が異なっていれば携帯用ドリルが開閉機５と同じ電圧の電源で駆動されるものであってもよい。
【００３１】
又、前記第３軸箱１４内部に、前記入力端軸３７に連結可能なハンドルを備えておき、該ハンドルで前記入力端軸３７を回転する様にしてもよい。
【００３２】
図５、図６は第２の実施の形態に於ける第３軸箱３８を示している。該第３軸箱３８内部は、仕切られてなく、後述する携帯用電動ドリル３９、手回しハンドル４０が収納される様になっている。尚、図５、図６中、図１〜図４中に示したものと同等のものには同符号を付してある。
【００３３】
筐体４１には、固定板４２が設けられ、該固定板４２に傘歯車ユニット２６が固定されている。
【００３４】
前記携帯用電動ドリル３９は固定金具４９を介して前記固定板４２に取外し可能に取付けられ、又前記手回しハンドル４０も前記固定板４２に着脱可能に設けられている。
【００３５】
前記携帯用電動ドリル３９は出力軸にソケット４３が取付けられており、該ソケット４３は前記第３入力軸２５の先端部２５ａに嵌合可能であり、又前記手回しハンドル４０は前記第３入力軸２５の基部２５ｂに嵌合可能となっている。
【００３６】
前記筐体４１には充電器４４が設けられており、該充電器４４は充電器本体４５及び保護回路４６を具備し、前記充電器４４には前記携帯用電動ドリル３９から延出するコード先端に設けられたプラグ４７が着脱可能となっている。尚、図中、４８は前記携帯用電動ドリル３９に内蔵される充電式電池である。
【００３７】
前記充電式電池４８は、通常状態で前記充電器４４によって充電されており、前記保護回路４６は前記充電式電池４８が充電されると前記充電器４４への通電を遮断する等の機能を有し、前記充電式電池４８の過充電、劣化を防止する。尚、前記充電器４４は、外部電源により前記充電式電池４８を充電する。
【００３８】
停電等、前記開閉機５に電力が供給できない状態となった場合、前記蓋３５を開け、前記固定金具４９を外して前記携帯用電動ドリル３９を取出す。該携帯用電動ドリル３９は、前記充電器４４によって充電状態となっており、直ちに使用可能である。
【００３９】
前記ソケット４３を前記第３入力軸２５に差込み、前記携帯用電動ドリル３９によって前記第３入力軸２５を回転させ、前記連結ロッド３１等を介して前記補助駆動軸６を回転させ、前記シャッタカーテン３を開放する。
【００４０】
尚、前記開閉機５がＡＣ２００Ｖ電源で駆動される様になっている場合、上述した様にＡＣ２００Ｖ電源が停電となった場合でも、ＡＣ１００Ｖ電源が必ずしも停電となっているとは限らず、或は非常用電源が設備されている環境では、前記携帯用電動ドリル３９は外部電源であるＡＣ１００Ｖ電源で駆動されるものを用いてもよい。この場合、前記充電器４４の代りにＡＣ１００Ｖ用のコンセントを設け、前記携帯用電動ドリル３９を使用する場合、前記プラグ４７をコンセントに差込み、ＡＣ１００Ｖの電源が供給される様にする。尚、コンセントは躯体側に設けられたものでもよい。
【００４１】
又、前記携帯用電動ドリル３９が使用できない場合、前記手回しハンドル４０を前記固定板４２から取外し、前記第３入力軸２５に嵌合して、前記手回しハンドル４０を手作業で回すことで、手動による開放も可能である。尚、前記開閉機５には減速機（図示せず）が備えられており、前記第３入力軸２５の回転力は前記開閉機５の減速機を介して減速されて前記巻取シャフト４に伝達される様になっているので、比較的小さな力で前記入力軸２５を回転させてもシャッタカーテンを開放することができる。
【００４２】
又、防火シャッタの様に、開閉機を具備せず、手動の巻取機が設けられているものについても、手動の巻取機の駆動軸に前記補助開閉装置８を連結することで、本発明が実施可能である。
【図面の簡単な説明】
【００４３】
【図１】本発明の実施の形態を示す正面図である。
【図２】同実施の形態に於ける要部拡大正面図である。
【図３】同前部分左側面図である。
【図４】同前部分右側面図である。
【図５】本発明の第２の実施の形態を示す要部部分正面図である。
【図６】図５のＡ−Ａ矢視図である。
【符号の説明】
【００４４】
１              シャッタケース
３              シャッタカーテン
５              開閉機
６              補助駆動軸
７              一方向クラッチ
８              補助開閉装置
１１            第１軸箱
１２            第２軸箱
１４            第３軸箱
２７            第１フレキシブルロッド
２８            第２フレキシブルロッド
２９            第３フレキシブルロッド
３８            第３軸箱
３９            携帯用電動ドリル
４４            充電器
【図１】
2007217881.tif 000003
【図２】
2007217881.tif 000004
【図３】
2007217881.tif 000005
【図４】
2007217881.tif 000006
【図５】
2007217881.tif 000007
【図６】
2007217881.tif 000008